(57)【要約】【課題】本発明は、補聴器の電池の保持及び、電池交換を容易にすることを目的とする。【解決手段】補聴器本体ケース１から電池ケース２を引き出した際に、電池ケース２の底面８に設けた磁石９によって電池３が保持され、また、電池３を取り出す際には、補聴器本体ケース１の開口部５に指１０を入れ、その指１０が電池ケース２に設けられた切り欠き部７に入り込むことで指１０が電池３に触れ、その指１０を下方に動かすことで電池３を取り出すことが出来る構成とした。【選択図】図４
2013157791.tif 000002
【特許請求の範囲】
【請求項１】
本体ケースと、
この本体ケースに対して出没自在に設けた電池ケースと、
前記本体ケース内に設けた補聴処理部と、
この補聴処理部に接続されたマイク及びレシーバとを備え、
前記本体ケースには、前記電池ケースを収納する収納空間と、
この収納空間から前記電池ケースが出没するための開口部とを設け、
前記電池ケースは、
一端が開放され他端が閉成されている筒形状をした電池収納部と、
この電池収納部の他端閉成部に設けた吸着部と、
前記電池収納部の側面に設けられるとともに、前記電池ケースを前記収納空間から出没させるべく、回動自在に動かすための軸部とを有し、
前記電池収納部で、電池ケースを前記収納空間から引き出した状態において、前記軸部を間にして、前記開口部に対向する部分には、電池取出用切り欠きを設けた補聴器。
【請求項２】
前記吸着部は磁石である請求項１に記載の補聴器。
【発明の詳細な説明】
【技術分野】
【０００１】
本発明は、補聴器の電池の保持及び、電池交換を容易にする電池ケースに関するものである。
【背景技術】
【０００２】
従来の補聴器は、本体ケースと、この本体ケースに対して出没自在に設けた電池ケースと、前記本体ケース内に設けた補聴処理部と、この補聴処理部に接続されたマイク及びレシーバとを備え、前記本体ケースには、前記電池ケースを収納する収納空間と、この収納空間から前記電池ケースが出没するための開口部とを備えていた。
【０００３】
また、この電池ケースは、電池の側面を覆うような略Ｃの字形状の電池保持部があり、この電池保持部に電池を圧入することによって、電池を保持する構成となっていた（例えば、特許文献１参照）。
【先行技術文献】
【特許文献】
【０００４】
【特許文献１】特開２００７−１７２８３９号公報
【発明の概要】
【発明が解決しようとする課題】
【０００５】
前記特許文献１のような電池ケースの形状では、Ｃの字形状の電池保持部の内、少なくとも２点の支持点（支持部）によって電池の側面を保持しているため、この点においては、電池を保持することが出来る。
【０００６】
しかしながら、２点の支持点（支持部）によって電池の側面を保持するものでは、その保持力を強くしないと電池の落下が起きてしまう。
【０００７】
そこで、前記２点の支持点（支持部）によって電池の側面を強固に保持するようにしているが、そのようにすると、電池を保持させるときも、電池交換を行うときにも、２点の支持点（支持部）を強い力で押し広げる必要があり、極めて操作性の悪いものであった。
【０００８】
特に、補聴器を使用する高齢者には、このような作業は極めて操作性の悪いものとなる。
【０００９】
そこで本発明は、操作性を向上することを目的とするものである。
【課題を解決するための手段】
【００１０】
そして、この目的を達成するために本発明は、前記本体ケースには、前記電池ケースを収納する収納空間と、この収納空間から前記電池ケースが出没するための開口部とを設け、前記電池ケースは、一端が開放され他端が閉成されている筒形状をした電池収納部と、この電池収納部の他端閉成部に設けた吸着部と、前記電池収納部の側面に設けられるとともに、前記電池ケースを前記収納空間から出没させるべく、回動自在に動かすための軸部とを有し、前記電池収納部で、電池ケースを前記収納空間から引き出した状態において、前記軸部を間にして、前記開口部に対向する部分には、電池取出用切り欠きを設け、これにより所期の目的を達成するものである。
【発明の効果】
【００１１】
以上のように本発明においては、前記本体ケースには、前記電池ケースを収納する収納空間と、この収納空間から前記電池ケースが出没するための開口部とを設け、前記電池ケースは、一端が開放され他端が閉成されている筒形状をした電池収納部と、この電池収納部の他端閉成部に設けた吸着部と、前記電池収納部の側面に設けられるとともに、前記電池ケースを前記収納空間から出没させるべく、回動自在に動かすための軸部とを有し、前記電池収納部で、電池ケースを前記収納空間から引き出した状態において、前記軸部を間にして、前記開口部に対向する部分には、電池取出用切り欠きを設けたので、操作性を向上することができる。
【００１２】
すなわち、本発明においては、その電池ケースが、一端が開放され他端が閉成されている筒形状をした電池収納部と、この電池収納部の他端閉成部に設けた吸着部と、前記電池収納部の側面に設けられるとともに、前記電池ケースを前記収納空間から出没させるべく、回動自在に動かすための軸部とを有するものであるので、電池を収納するときには、電池収納部にその一端が開放部から収納するだけで良いので、極めて操作性の良いものとなる。
【００１３】
また、このように収納された電池の交換時には、電池ケースを前記収納空間から引き出した状態においておこなうのであるが、このとき本発明においては、上述のごとく、前記電池収納部で、電池ケースを前記収納空間から引き出した状態において、前記軸部を間にして、前記開口部に対向する部分には、電池取出用切り欠きを設けたので、この電池取出用切り欠きから電池を下方に押せば、簡単に電池を電池収納部から離脱させ、交換をすることができ、この点からも極めて操作性の良いものとなるのである。
【００１４】
さらに、本発明において、上述した電池取出し時において、たとえば人差し指を、電池ケースが引き出された本体ケースの開口部に挿入する動作を行えば、その人差し指の一部が、前記電池取出用切り欠きに当接する状態となる。
【００１５】
このため、この状態で、指先を少しだけ電池収納部の一端が開放部側に動かせば、電池はその開放部側へと移動し、これにて簡単に電池を電池収納部から取出すことができ、この点からも極めて操作性の良いものとなるのである。
【図面の簡単な説明】
【００１６】
【図１】補聴器から電池ケースが引き出された状態の上面斜視図
【図２】電池ケースの端面図
【図３】補聴器から電池ケースが引き出された状態の底面斜視図
【図４】電池ケースから電池を取り出す説明図
【発明を実施するための形態】
【００１７】
以下に、本発明の一実施形態に係る補聴器について、図１から図４を用いて説明する。
【００１８】
（実施の形態１）
図１は、耳掛け型（ＢＴＥ・・・Ｂｅｈｉｎｄ−Ｔｈｅ−Ｅａｒ型）の補聴器であって、耳の後ろに装着される補聴器本体ケース１と、その一端には回動自在に取り付けられた電池ケース２とが設けられる。電池ケース２は、一端が開放され他端が閉成されている筒形状をした電池収納部２Ａがあり、この電池収納部２Ａには電池３が入れられる。
【００１９】
図１においては、電池ケース２が補聴器本体ケース１から引き出され、その電池ケース２には補聴器を駆動するための電池３を入れている状態を示している。また、図示はしないが、この補聴器本体ケース１内には、周囲の音を拾うマイクと、そのマイクで拾った音を補聴処理する補聴処理部と、補聴処理された音を空気振動として出力するレシーバとが備えられ、通常の補聴器として動作するようになっている。
【００２０】
図２は、図１の状態を下側から見た斜視図である。補聴器本体ケース１には、電池ケース２を収める収納空間４及び、電池ケース２が収納空間４から出没するための開口部５を備えている。電池ケース２には、補聴器本体ケース１と回動自在に取り付けるための軸部６と、電池ケース２が補聴器本体ケース１から引き出された状態において、軸部６を境に収納空間４とは対抗する部分に、外部と電池収納部２Ａを貫通する切り欠き部７（図２では、軸部６の右側）を設けている。また、電池ケース２の底面８には磁石９（図３参照）を備えている。
【００２１】
この磁石９を備えることによって、磁力によって電池３を吸着し電池収納部２Ａ内に安定的に保持するので、従来技術のように２点の支持点に強く押し込まなくても、電池３を電池収納部２Ａに軽く収納するだけで容易に保持することができるので、きわめて操作性がよくなるのである。
【００２２】
さて、電池ケース２から電池３を取り出す際には、図４のごとく、まずは、補聴器本体ケース１から電池ケース２を引き出し、補聴器本体ケース１を逆さにして、容易に電池３が落下できる状態にする。この時点では、電池３は磁石９に吸着されているため、電池３は電池収納部２Ａ内に保持されたままの状態である。その後、指１０を開口部５から収納空間４の内部に差し込む（図４参照）。そうすると、指１０の側面が、切り欠き部７から、直接電池３に触れることになる。その状態で、指１０を軽く下方向に動かすだけで、電池３を落下させることができるのである。
【００２３】
このとき、指１０を直接切り欠き部７に挿入することでも、電池３を取り出すことが出来るが、補聴器を使用される高齢者にとっては指先の細かな操作は難しいため、孔の小さな切り欠き部７に直接指１０を挿入することは難しい。
【００２４】
そこで本発明のように、切り欠き部７より大きな開口を持った開口部５に指１０を挿入させ、指１０が切り欠き部７に入り込んだ後、指１０を下方に動かすだけで電池３を取り出すことができるので、高齢者でも電池取り出しの操作性を向上することができるのである。
【００２５】
なお、本実施形態では、耳掛け型の補聴器として説明したが、他の耳穴型補聴器でも活用できる。
【産業上の利用可能性】
【００２６】
本発明では、補聴器本体ケースから電池ケースを引き出した際に、電池ケースの底部に設けた磁石によって電池が保持され、また、電池を取り出す際には、補聴器本体ケースの電池ケース収納開口部に指を入れ、その指が電池ケースに設けられた切り欠きに入り込むことで、電池を取り出すことが出来るので、電池交換の操作性を向上することが出来るものであるから、補聴器に対して広く活用が期待される。
【符号の説明】
【００２７】
１  補聴器本体ケース
２  電池ケース
２Ａ  電池収納部
３  電池
４  収納空間
５  開口部
６  軸部
７  切り欠き部
８  底面
９  磁石
１０  指
【図１】
2013157791.tif 000003
【図２】
2013157791.tif 000004
【図３】
2013157791.tif 000005
【図４】
2013157791.tif 000006